(57)【要約】【課題】発表資料と補足資料とを投影する場合において、当該発表資料の視認性の低下を抑制することが可能な技術を提供する。【解決手段】投影制御システムは、投影装置２０ａと投影装置２０ｂと投影制御装置１０とを備える。投影制御装置１０は、画像生成部と投影制御部とを有する。画像生成部は、プレゼンテーション用の発表資料の表示用画像である発表資料画像ＬＧを生成するとともに、当該発表資料に関する補足資料の表示用画像である補足資料画像ＴＧを生成する。投影制御部は、投影装置２０ｂの投影領域ＰＡ２のうち投影装置２０ａの投影領域ＰＡ１に重複しない領域に当該補足資料画像ＴＧを投影させるように投影装置２０ｂを制御する。【選択図】図１７
2012022162.tif 000002
【特許請求の範囲】
【請求項１】
投影制御システムであって、
第１の投影装置と、
第２の投影装置と、
前記第１の投影装置の投影動作と前記第２の投影装置の投影動作とを制御する投影制御装置と、
を備え、
前記投影制御装置は、
プレゼンテーション用の発表資料の表示用画像である発表資料画像を生成するとともに、前記発表資料に関する補足資料の表示用画像である補足資料画像を生成する生成手段と、
前記第１の投影装置の投影領域である第１の投影領域に前記発表資料画像を投影させるように前記第１の投影装置を制御するとともに、前記第２の投影装置の投影領域である第２の投影領域のうち前記第１の投影領域に重複しない領域に前記補足資料画像を投影させるように前記第２の投影装置を制御する投影制御手段と、
を有することを特徴とする投影制御システム。  
【請求項２】
請求項１に記載の投影制御システムにおいて、
前記第１の投影装置により投影面に投影された第１の領域認識用画像と、前記第２の投影装置により前記投影面に投影された第２の領域認識用画像とをそれぞれ撮影する撮影装置、
をさらに備え、
前記投影制御装置は、
前記第１の領域認識用画像の撮影画像に基づいて前記第１の投影領域を認識する手段と、
前記第２の領域認識用画像の撮影画像に基づいて前記第２の投影領域を認識する手段と、
前記第１の投影領域に関する認識結果と前記第２の投影領域に関する認識結果とに基づいて、前記第２の投影領域のうち前記第１の投影領域に重複しない領域である補足資料配置領域を決定する手段と、
をさらに有することを特徴とする投影制御システム。
【請求項３】
請求項１または請求項２に記載の投影制御システムにおいて、
前記投影制御手段は、前記第２の投影領域のうち前記第１の投影領域との重複領域に関しては、前記第２の投影領域のうち前記重複領域以外の領域に比べて、前記第２の投影装置による投影輝度を抑制することを特徴とする投影制御システム。
【請求項４】
投影装置の投影動作を制御する投影制御装置であって、
プレゼンテーション用の発表資料の表示用画像である発表資料画像を生成するとともに、前記発表資料に関する補足資料の表示用画像である補足資料画像を生成する生成手段と、
第１の投影装置の投影領域である第１の投影領域に前記発表資料画像を投影させるように前記第１の投影装置を制御するとともに、第２の投影装置の投影領域である第２の投影領域のうち前記第１の投影領域に重複しない領域に前記補足資料画像を投影させるように前記第２の投影装置を制御する投影制御手段と、
を備えることを特徴とする投影制御装置。
【請求項５】
請求項４に記載の投影制御装置において、
前記第１の投影装置により投影面に投影された第１の領域認識用画像を撮影装置によって撮影した第１の投影画像に基づいて、前記第１の投影領域を認識する手段と、
前記第２の投影装置により前記投影面に投影された第２の領域認識用画像を前記撮影装置によって撮影した第２の投影画像に基づいて、前記第２の投影領域を認識する手段と、
前記第１の投影領域に関する認識結果と前記第２の投影領域に関する認識結果とに基づいて、前記第２の投影領域のうち前記第１の投影領域に重複しない領域である補足資料配置領域を決定する手段と、
をさらに備えることを特徴とする投影制御装置。
【請求項６】
請求項４または請求項５に記載の投影制御装置において、
前記投影制御手段は、前記第２の投影領域のうち前記第１の投影領域との重複領域に関しては、前記第２の投影領域のうち前記重複領域以外の領域に比べて、前記第２の投影装置による投影輝度を抑制することを特徴とする投影制御装置。
【請求項７】
コンピュータを、
プレゼンテーション用の発表資料の表示用画像である発表資料画像を生成するとともに、前記発表資料に関する補足資料の表示用画像である補足資料画像を生成する生成手段と、
第１の投影装置の投影領域である第１の投影領域に前記発表資料画像を投影させるように前記第１の投影装置を制御するとともに、第２の投影装置の投影領域である第２の投影領域のうち前記第１の投影領域に重複しない領域に前記補足資料画像を投影させるように前記第２の投影装置を制御する投影制御手段と、
を備える投影制御装置として機能させるためのプログラム。
【発明の詳細な説明】
【技術分野】
【０００１】
本発明は、投影制御システムおよびそれに関連する技術に関する。
【背景技術】
【０００２】
プレゼンテーションシステムにおいて、プレゼンテーション用の発表資料と当該発表資料に関する補足資料とを同時に表示する技術が存在する。
【０００３】
例えば、特許文献１に記載の技術においては、発表資料要素と補足資料要素とを合成した合成資料要素を表示画面に表示するシステムが示されている。具体的には、当該システムは、補足資料要素を半透明化させ透かし補足資料要素を生成する透かし部と、当該透かし補足資料要素を発表資料要素に重ねて合成資料要素を生成するシート合成部と、当該合成資料要素を発表者ディスプレイ上に表示する表示制御部とを備えている。
【０００４】
このシステムによれば、発表資料（発表資料要素）と補足資料（透かし補足資料要素）とが表示画面（発表者ディスプレイ）に同時に表示されるので、当該表示画面の閲覧者は、当該発表資料を閲覧しつつ、当該補足資料をも確認することが可能である。
【先行技術文献】
【特許文献】
【０００５】
【特許文献１】特開２００８−１９１４５５号公報
【発明の概要】
【発明が解決しようとする課題】
【０００６】
しかしながら、特許文献１に記載の技術においては、発表資料（発表資料要素）と補足資料（透かし補足資料要素）とが重ねて合成されるので、表示画面における当該発表資料の表示が煩雑になり、当該発表資料の視認性が低下する。
【０００７】
そこで、この発明の課題は、発表資料と補足資料とを投影する場合において、当該発表資料の視認性の低下を抑制することが可能な技術を提供することにある。
【課題を解決するための手段】
【０００８】
上記課題を解決すべく、請求項１の発明は、投影制御システムであって、第１の投影装置と、第２の投影装置と、前記第１の投影装置の投影動作と前記第２の投影装置の投影動作とを制御する投影制御装置と、を備え、前記投影制御装置は、プレゼンテーション用の発表資料の表示用画像である発表資料画像を生成するとともに、前記発表資料に関する補足資料の表示用画像である補足資料画像を生成する生成手段と、前記第１の投影装置の投影領域である第１の投影領域に前記発表資料画像を投影させるように前記第１の投影装置を制御するとともに、前記第２の投影装置の投影領域である第２の投影領域のうち前記第１の投影領域に重複しない領域に前記補足資料画像を投影させるように前記第２の投影装置を制御する投影制御手段と、を有することを特徴とする。
【０００９】
請求項２の発明は、請求項１の発明に係る投影制御システムにおいて、前記第１の投影装置により投影面に投影された第１の領域認識用画像と、前記第２の投影装置により前記投影面に投影された第２の領域認識用画像とをそれぞれ撮影する撮影装置、をさらに備え、前記投影制御装置は、前記第１の領域認識用画像の撮影画像に基づいて前記第１の投影領域を認識する手段と、前記第２の領域認識用画像の撮影画像に基づいて前記第２の投影領域を認識する手段と、前記第１の投影領域に関する認識結果と前記第２の投影領域に関する認識結果とに基づいて、前記第２の投影領域のうち前記第１の投影領域に重複しない領域である補足資料配置領域を決定する手段と、をさらに有することを特徴とする。
【００１０】
請求項３の発明は、請求項１または請求項２の発明に係る投影制御システムにおいて、前記投影制御手段は、前記第２の投影領域のうち前記第１の投影領域との重複領域に関しては、前記第２の投影領域のうち前記重複領域以外の領域に比べて、前記第２の投影装置による投影輝度を抑制することを特徴とする。
【００１１】
請求項４の発明は、投影装置の投影動作を制御する投影制御装置であって、プレゼンテーション用の発表資料の表示用画像である発表資料画像を生成するとともに、前記発表資料に関する補足資料の表示用画像である補足資料画像を生成する生成手段と、第１の投影装置の投影領域である第１の投影領域に前記発表資料画像を投影させるように前記第１の投影装置を制御するとともに、第２の投影装置の投影領域である第２の投影領域のうち前記第１の投影領域に重複しない領域に前記補足資料画像を投影させるように前記第２の投影装置を制御する投影制御手段と、を備えることを特徴とする。
【００１２】
請求項５の発明は、請求項４の発明に係る投影制御装置において、前記第１の投影装置により投影面に投影された第１の領域認識用画像を撮影装置によって撮影した第１の投影画像に基づいて、前記第１の投影領域を認識する手段と、前記第２の投影装置により前記投影面に投影された第２の領域認識用画像を前記撮影装置によって撮影した第２の投影画像に基づいて、前記第２の投影領域を認識する手段と、前記第１の投影領域に関する認識結果と前記第２の投影領域に関する認識結果とに基づいて、前記第２の投影領域のうち前記第１の投影領域に重複しない領域である補足資料配置領域を決定する手段と、をさらに備えることを特徴とする。
【００１３】
請求項６の発明は、請求項４または請求項５の発明に係る投影制御装置において、前記投影制御手段は、前記第２の投影領域のうち前記第１の投影領域との重複領域に関しては、前記第２の投影領域のうち前記重複領域以外の領域に比べて、前記第２の投影装置による投影輝度を抑制することを特徴とする。
【００１４】
請求項７の発明は、コンピュータを、プレゼンテーション用の発表資料の表示用画像である発表資料画像を生成するとともに、前記発表資料に関する補足資料の表示用画像である補足資料画像を生成する生成手段と、第１の投影装置の投影領域である第１の投影領域に前記発表資料画像を投影させるように前記第１の投影装置を制御するとともに、第２の投影装置の投影領域である第２の投影領域のうち前記第１の投影領域に重複しない領域に前記補足資料画像を投影させるように前記第２の投影装置を制御する投影制御手段と、を備える投影制御装置として機能させるためのプログラムであることを特徴とする。
【発明の効果】
【００１５】
請求項１ないし請求項７に記載の発明によれば、第１の投影領域に発表資料画像が投影され、第２の投影領域のうち第１の投影領域に重複しない領域に補足資料画像が投影されるので、発表資料画像と発表資料画像とが重複することなく、発表資料画像と発表資料画像とが投影され得る。したがって、発表資料の視認性の低下を抑制することが可能である。
【００１６】
特に、請求項２および請求項５に記載の発明によれば、第１の領域認識用画像の撮影画像に基づいて第１の投影領域が認識され、第２の領域認識用画像の撮影画像に基づいて第２の投影領域が認識され、第１の投影領域に関する認識結果と第２の投影領域に関する認識結果と基づいて、当該第２の投影領域のうち当該第１の投影領域に重複しない領域が決定される。そのため、各投影領域の位置および大きさとしては、必ずしも特定の値（固定値）を用いることを要しない。したがって、第１の投影領域および第２の投影領域の配置に自由度を持たせつつ、当該第２の投影領域のうち当該第１の投影領域に重複しない領域を決定することが可能である。
【００１７】
また特に、請求項３および請求項６に記載の発明によれば、第２の投影領域のうち第１の投影領域との重複領域に関しては、当該第２の投影領域のうち当該重複領域以外の領域に比べて、第２の投影装置による投影輝度が抑制される。そのため、当該重複領域に投影される発表資料画像の投影輝度が高くなり過ぎることを防止し、当該発表資料画像の視認性の低下を抑制することが可能である。
【図面の簡単な説明】
【００１８】
【図１】第１実施形態に係る投影制御システムの構成を示す概略図である。
【図２】ＭＦＰの機能的構成を示すブロック図である。
【図３】ＭＦＰにおける動作を示すフローチャートである。
【図４】ＭＦＰにおける動作を示すフローチャートである。
【図５】ＭＦＰにおける動作を示すフローチャートである。
【図６】撮影装置がスクリーンを撮影する様子を示す図である。
【図７】撮影装置がスクリーンを撮影する様子を示す図である。
【図８】座標系を示す図である。
【図９】投影画像を示す図である。
【図１０】補足資料表示領域を示す図である。
【図１１】補足資料画像を示す図である。
【図１２】補足資料画像を示す図である。
【図１３】投影画像を示す図である。
【図１４】吹き出し画像を示す図である。
【図１５】吹き出し画像を示す図である。
【図１６】吹き出し画像を示す図である。
【図１７】投影装置が画像をスクリーンに投影する様子を示す図である。
【図１８】第２実施形態に係る投影画像を示す図である。
【図１９】変形例に係る投影領域を示す図である。
【発明を実施するための形態】
【００１９】
以下、本発明の実施形態を図面に基づいて説明する。
【００２０】
＜１．第１実施形態＞
＜１−１．構成概要＞
図１は、この実施形態に係る投影制御システム１００の概要を示すシステム構成図である。この投影制御システム１００は、投影制御装置１０と投影装置２０（２０ａ，２０ｂ）と撮影装置４０とを備える。
【００２１】
投影制御装置１０は、投影装置２０を用いて、スクリーンＳＣ（投影面）に対する画像の投影を制御する。ここでは、投影制御装置１０は、ＭＦＰ（マルチ・ファンクション・ペリフェラル（Multi Function Peripheral））１０として構成されているものとする。
【００２２】
投影装置２０（２０ａ，２０ｂ）は、ＭＦＰ１０に接続（ネットワーク接続等）されており、ＭＦＰ１０から送信されるデータに基づいて画像をスクリーンＳＣの投影領域ＰＡ（ＰＡ１，ＰＡ２）に投影する。具体的には、投影装置２０ａは、ＭＦＰ１０から送信されるデータに基づいて画像をスクリーンＳＣの投影領域ＰＡ１に投影し、投影装置２０ｂは、ＭＦＰ１０から送信されるデータに基づいて画像をスクリーンＳＣの投影領域ＰＡ２に投影する。なお、ＭＦＰ１０と投影装置２０との接続は、ネットワーク接続に限定されない。たとえば、投影装置２０は、ＭＦＰ１０に対して、ビデオケーブル等の接続ケーブルを介して電子信号（映像信号等）の授受が可能となるように接続されてもよい。
【００２３】
撮影装置４０は、ＭＦＰ１０に接続（ネットワーク接続等）されており、ＭＦＰ１０からの撮影指示に応じてスクリーンＳＣを撮影する。この撮影装置４０は、投影装置２０からの投影画像を撮影可能な所定の位置に固定された状態で配置される。なお、ＭＦＰ１０と撮影装置４０との接続は、ネットワーク接続に限定されない。たとえば、撮影装置４０は、ＭＦＰ１０に対して、制御用ケーブル等の接続ケーブルを介して電子信号（制御用電子信号および撮影画像データ等）の授受が可能となるように接続されてもよい。
【００２４】
図２は、ＭＦＰ１０の概略構成を示す機能ブロック図である。図２に示すように、ＭＦＰ１０は、通信部４、格納部５およびコントローラ９等を備えており、これらの各部を複合的に動作させることによって、各種の機能を実現する。
【００２５】
通信部４は、通信ネットワークＮＷを介してネットワーク通信を行うことが可能な処理部である。このネットワーク通信では、ＴＣＰ／ＩＰ（Transmission Control Protocol / Internet Protocol）およびＦＴＰ（File Transfer Protocol）等の各種プロトコルが利用され、当該ネットワーク通信を利用することによって、ＭＦＰ１０は、所望の相手先との間で各種データを授受することが可能である。
【００２６】
格納部５は、ハードディスクドライブ（ＨＤＤ）等の記憶装置で構成される。この格納部５には、プレゼンテーション用の発表資料と当該発表資料に関する複数の補足資料とが格納される。具体的には、格納部５においては、各種のフォルダ（ボックスとも称する）が設けられ、発表資料（詳細には、発表資料ファイルデータ（以下、単に発表資料ファイルとも称する））ＭＦおよび複数の補足資料（詳細には、補足資料ファイルデータ（以下、単に補足資料ファイルとも称する））ＳＦ等が格納される。ここでは、発表資料ファイルＭＦが発表資料格納用のボックスＢＸ１に格納され、複数の補足資料ファイルＳＦが補足資料格納用のボックスＢＸ２に格納されているものとする。ただし、これに限定されず、発表資料と補足資料との双方が同一のボックス内に格納されるようにしてもよい。
【００２７】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ等）等を備えるコンピュータシステムとして構成される。コントローラ９は、ＣＰＵにおいて、ＲＯＭ（例えばＥＥＰＲＯＭ等）内に格納されている所定のソフトウェアプログラム（以下、単にプログラムとも称する）を実行することによって、各種の処理部を実現する。
【００２８】
具体的には、図２に示すように、コントローラ９は、撮影制御部９１と領域認識部９２ａと領域認識部９２ｂと領域決定部９３と補足資料検索部９４と画像生成部９５と投影制御部９７とを有している。
【００２９】
撮影制御部９１は、撮影装置４０の撮影動作を制御する処理部である。
【００３０】
領域認識部９２ａは、領域認識用画像ＵＧ１（後述）に基づいて、投影装置２０ａの投影対象領域である投影領域ＰＡ１を認識する処理部である（図６参照）。
【００３１】
領域認識部９２ｂは、領域認識用画像ＵＧ２（後述）に基づいて、投影装置２０ｂの投影対象領域である投影領域ＰＡ２を認識する（図７参照）。
【００３２】
領域決定部９３は、投影領域ＰＡ１に関する認識結果と投影領域ＰＡ２に関する認識結果とに基づいて、投影領域ＰＡ２のうち投影領域ＰＡ１に重複しない領域である補足資料配置領域ＳＡ（図８参照）（後述）を決定する処理部である。
【００３３】
補足資料検索部９４は、複数の補足資料ファイルＳＦの中から、そのファイル名に発表資料内の文字列ＳＴを含む補足資料ファイルを検索する処理部である。
【００３４】
画像生成部９５は、プレゼンテーション用の発表資料の表示用画像である発表資料画像ＬＧ（図９参照）と、当該発表資料に関する補足資料の表示用画像である補足資料画像ＴＧ（詳細にはＴＧ１，ＴＧ２）（図１１および図１２参照）とを生成する。また、画像生成部９５は、これらの画像ＬＧ，ＴＧに基づいて、スクリーンＳＣに投影する投影画像ＭＧ，ＳＧ（図１３）を生成する。具体的には、画像生成部９５は、投影装置２０ａによる投影画像ＭＧを発表資料画像ＬＧに基づいて生成し、投影装置２０ｂによる投影画像ＳＧを補足資料画像ＴＧ１，ＴＧ２に基づいて生成する。
【００３５】
投影制御部９７は、スクリーンＳＣに対する画像の投影を制御する処理部である。具体的には、投影制御部９７は、投影装置２０ａを制御して、投影装置２０ａの投影領域ＰＡ１に発表資料画像ＬＧを投影させる。また、投影制御部９７は、投影装置２０ｂを制御して、補足資料配置領域ＳＡ（投影装置２０ｂの投影領域ＰＡ２のうち当該投影領域ＰＡ１に重複しない領域（後述））に補足資料画像ＴＧ（詳細には、ＴＧ１，ＴＧ２）を投影させる。
【００３６】
＜１−２．動作＞
以下では、図３〜図５のフローチャートを参照しながら、プロジェクタモードにおけるＭＦＰ１０の動作について説明する。なお、プロジェクタモードとは、ＭＦＰ１０が投影装置２０を用いてスクリーンＳＣに対する画像の投影を制御するモードである。
【００３７】
プロジェクタモードが開始されると、図３のステップＳ１１において、ＭＦＰ１０は、補足資料配置領域ＳＡ（投影領域ＰＡ２のうち投影領域ＰＡ１に重複しない領域）を決定する領域決定処理（図４のステップＳ３１〜ステップＳ３７）を実行する。
【００３８】
具体的には、ステップＳ３１において、投影制御部９７は、図６に示すように、投影領域ＰＡ１を認識するための画像である領域認識用画像ＵＧ１を、投影装置２０ａにより投影する。ここでは、投影制御部９７は、白色の画像である白画像（例えば、全画素が白色画素（換言すれば、高輝度画素）で構成される画像）、より詳細には、投影装置２０ａの全投影領域に亘る矩形状の白画像を、領域認識用画像ＵＧ１として当該投影装置２０ａの投影領域ＰＡ１に投影するものとする。なお、ステップＳ３１においては、投影装置２０ｂは、電源オフ状態であるものとする。
【００３９】
ステップＳ３２において、撮影制御部９１は、撮影装置４０に撮影指示を付与し、図６に示すように、投影装置２０ａによりスクリーンＳＣに投影された領域認識用画像ＵＧ１を当該撮影装置４０を用いて撮影させる。当該領域認識用画像ＵＧ１に関する撮影画像ＰＧ１は、コントローラ９のメモリに一時的に記憶される。
【００４０】
ステップＳ３３において、投影制御部９７は、今度は、図７に示すように、投影領域ＰＡ２を認識するための画像である領域認識用画像ＵＧ２を、投影装置２０ｂにより投影する。領域認識用画像ＵＧ２も、上述の領域認識用画像ＵＧ１と同様に白画像として生成された画像である。より詳細には、投影制御部９７は、投影装置２０ｂの全投影領域に亘る矩形状の白画像を、領域認識用画像ＵＧ２として当該投影装置２０ｂの投影領域ＰＡ２に投影する。なお、ステップＳ３３においては、投影装置２０ａは電源オフ状態であるものとする。
【００４１】
ステップＳ３４において、撮影制御部９１は、撮影装置４０に撮影指示を再び付与し、図７に示すように、投影装置２０ｂによりスクリーンＳＣに投影された領域認識用画像ＵＧ２を当該撮影装置４０を用いて撮影させる。当該領域認識用画像ＵＧ２に関する撮影画像ＰＧ２は、コントローラ９のメモリに一時的に記憶される。
【００４２】
ステップＳ３５において、領域認識部９２ａは、領域認識用画像ＵＧ１（詳細には撮影画像ＰＧ１）に基づいて投影領域ＰＡ１を認識する。
【００４３】
具体的には、領域認識部９２ａは、撮影画像ＰＧ１に対してエッジ検出処理（画像処理）を施して領域認識用画像ＵＧ１の矩形状の輪郭線を抽出し、その矩形状の輪郭線の左下頂点Ｐおよび右上頂点Ｑ（図６参照）の各位置（座標値）を求める。なお、領域認識用画像ＵＧ１の各頂点の位置は、それぞれ、撮影画像ＰＧ１の座標系における二次元座標値として取得される。
【００４４】
ここにおいて、左下頂点ＰのＸ座標と右上頂点ＱのＸ座標との差分値は、当該領域認識用画像ＵＧ１のＸ方向の大きさを表し、左下頂点ＰのＹ座標と右上頂点ＱのＹ座標との差分値は、当該領域認識用画像ＵＧ１のＹ方向の大きさを表す。そのため、左下頂点Ｐおよび右上頂点Ｑ（図６参照）の各位置（座標値）を求めることは、撮影画像ＰＧ１内における領域認識用画像ＵＧ１の位置および大きさを求めることに相当する。そして、領域認識部９２ａは、当該領域認識用画像ＵＧ１の位置および大きさを、投影領域ＰＡ１の位置および大きさとして認識する。
【００４５】
ステップＳ３６において、領域認識部９２ｂは、領域認識用画像ＵＧ２（詳細には撮影画像ＰＧ２）に基づいて投影領域ＰＡ２を認識する。
【００４６】
具体的には、領域認識部９２ｂは、撮影画像ＰＧ２に対してエッジ検出処理（画像処理）を施して領域認識用画像ＵＧ２の矩形状の輪郭を抽出し、その矩形状領域の左下頂点Ｒおよび右上頂点Ｓ）（図７参照）を求める。これにより、撮影画像ＰＧ２内における領域認識用画像ＵＧ２の位置および大きさが求められる。なお、当該領域認識用画像ＵＧ２の各頂点の位置等は、それぞれ、当該撮影画像ＰＧ２の座標系における二次元座標値として取得される。
【００４７】
そして、領域認識部９２ｂは、当該領域認識用画像ＵＧ２の位置および大きさを、投影領域ＰＡ２の位置および大きさとして認識する。なお、ここでは、２つの撮影画像ＰＧ１，ＰＧ２は、固定された撮影装置４０によって取得され、撮影画像ＰＧ１に関する二次元座標系と撮影画像ＰＧ２に関する二次元座標系とは同じものであるとする。
【００４８】
ステップＳ３７において、領域決定部９３は、投影領域ＰＡ１に関する認識結果と投影領域ＰＡ２に関する認識結果とに基づいて、投影領域ＰＡ２のうち投影領域ＰＡ１に重複しない領域である補足資料配置領域ＳＡを決定する。
【００４９】
具体的には、領域決定部９３は、投影領域ＰＡ２のうち投影領域ＰＡ１に重複しない領域である補足資料配置領域ＳＡを決定する。図８においては、投影領域ＰＡ２が投影領域ＰＡ１を包含する態様が示されている。この場合には、領域決定部９３は、投影領域ＰＡ２のうち投影領域ＰＡ１を除く領域（図８のハッチ部）を、補足資料配置領域ＳＡとして決定する。なお、補足資料配置領域ＳＡを規定するための（領域ＰＡ１，ＰＡ２の）各頂点座標値等としては、各撮影画像ＰＧ１，ＰＧ２の座標系における二次元座標値がそのまま用いられてもよい。あるいは、所定の座標変換を施した値（例えば、図８に示すように、投影領域ＰＡ１の左下頂点Ｒを原点（０，０）とする座標系での座標値に変換した値）が、補足資料配置領域ＳＡを規定するための各頂点座標値等として用いられてもよい。
【００５０】
このような領域決定処理によれば、撮影装置４０を用いて各投影領域ＰＡ１，ＰＡ２（詳細には、それぞれの位置および大きさ）が認識される。したがって、各投影領域ＰＡ１，ＰＡ２の位置および大きさとしては、必ずしも特定の値（固定値）を用いることを要さず、様々な値であってもよい。すなわち、投影領域ＰＡ１，ＰＡ２の配置および大きさは、高い自由度を有する。また、投影領域ＰＡ１に関する認識結果と投影領域ＰＡ２に関する認識結果とに基づいて、補足資料配置領域ＳＡ（投影領域ＰＡ２のうち投影領域ＰＡ１に重複しない領域）が決定される。そのため、各投影領域ＰＡ１，ＰＡ２の配置および大きさに高い自由度を持たせつつ、当該補足資料配置領域ＳＡを決定することが可能である。換言すれば、投影装置２０ａおよび投影装置２０ｂの配置等に自由度を持たせつつ、当該補足資料配置領域ＳＡを決定することが可能である。
【００５１】
図３のステップＳ１１における領域決定処理が完了すると、ステップＳ１２に進む。ステップＳ１２において、ＭＦＰ１０は、投影装置２０ａによる投影画像ＭＧ（図９）と投影装置２０ｂによる投影画像ＳＧ（図１３）とを生成する投影画像生成処理（図５のステップＳ５１〜ステップＳ５８）を実行する。なお、ここでは、発表資料ファイルＭＦは、文字列ＳＴ１（例えば「ＡＳＩＣ」）と文字列ＳＴ２（例えば「ＦＰＧＡ」）とを備えて構成されるものとする。また、ボックスＢＸ２には、複数の補足資料ファイルＳＦ（ＳＦ１，ＳＦ２，...）が格納されているものとする。詳細には、補足資料ファイルＳＦ１（例えば「ＡＳＩＣ．ｄｏｃ」）および補足資料ファイルＳＦ２（例えば「ＦＰＧＡ．ｘｌｓ」）等が格納されているものとする。
【００５２】
ステップＳ５１において、画像生成部９５は、発表資料ファイルＭＦに基づいて発表資料画像ＬＧを生成する。たとえば、図９に示すように、発表資料画像ＬＧは、その略中央に、文字列ＳＴ１（例えば「ＡＳＩＣ」）と文字列ＳＴ２（例えば「ＦＰＧＡ」）とが表示される画像として生成される。
【００５３】
また、画像生成部９５は、発表資料画像ＬＧに基づいて、投影装置２０ａによって投影領域ＰＡ１全体に投影させる投影画像ＭＧを生成する。具体的には、画像生成部９５は、発表資料画像ＬＧの全体画像を投影画像ＭＧの全体画像として生成する。
【００５４】
ステップＳ５２において、補足資料検索部９４は、ボックスＢＸ２内の複数の補足資料ファイルＳＦ（ＳＦ１，ＳＦ２，...）の中から、文字列ＳＴに関連する補足資料ファイルＳＦを検索する。ここでは、各補足資料ファイルＳＦには、それぞれ、その内容の概略を表すファイル名が付されているものとし、そのファイル名に発表資料内の文字列ＳＴ（例えば文字列ＳＴ１，ＳＴ２）を含む補足資料ファイルが当該文字列ＳＴに関連する補足資料ファイルＳＦとして検索され、特定されるものとする。
【００５５】
具体的には、補足資料検索部９４は、ボックスＢＸ２内の複数の補足資料ファイルＳＦのうちそのファイル名に文字列ＳＴ１（例えば「ＡＳＩＣ」）を含むものを、当該文字列ＳＴ１に関連する補足資料ファイルＳＦとして検索して特定する。ここでは、補足資料ファイルＳＦ１のファイル名は「ＡＳＩＣ．ｄｏｃ」であり、そのファイル名に当該文字列ＳＴ１である「ＡＳＩＣ」が含まれている。そのため、補足資料検索部９４は、補足資料ファイルＳＦ１を、文字列ＳＴ１に関連する補足資料ファイルＳＦ１として検索して特定する。
【００５６】
同様に、補足資料検索部９４は、ボックスＢＸ２内の複数の補足資料ファイルＳＦのうちそのファイル名に文字列ＳＴ２（例えば「ＦＰＧＡ」）を含むものを検索して特定する。ここでは、補足資料ファイルＳＦ２のファイル名は「ＦＰＧＡ．ｘｌｓ」であり、そのファイル名に当該文字列ＳＴ２である「ＦＰＧＡ」が含まれている。そのため、補足資料検索部９４は、補足資料ファイルＳＦ２を文字列ＳＴ２に関連する補足資料ファイルＳＦ２として検索して特定する。
【００５７】
ステップＳ５３において、領域決定部９３は、補足資料画像ＴＧを投影させる補足資料表示領域ＴＡ（補足資料画像ＴＧの投影対象領域）を決定する。ここでは、ステップＳ５２において２つの補足資料ファイルＳＦ１，ＳＦ２が特定されているため、領域決定部９３は、当該２つの補足資料ファイルＳＦ１，ＳＦ２に対応する２つの補足資料画像ＴＧ１（図１１参照），ＴＧ２（図１２参照）の投影対象領域である補足資料表示領域ＴＡ１，ＴＡ２を決定する。
【００５８】
領域決定部９３は、複数の補足資料表示領域ＴＡｉを、補足資料配置領域ＳＡ（投影領域ＰＡ２のうち投影領域ＰＡ１に重複しない領域）のうち投影領域ＰＡ１の左側の領域と当該投影領域ＰＡ１の右側の領域とに交互に配置する。具体的には、領域決定部９３は、図１０に示すように、最初の補足資料表示領域ＴＡ１を補足資料配置領域ＳＡのうち投影領域ＰＡ１の左側の領域に配置し、次の補足資料表示領域ＴＡ２を補足資料配置領域ＳＡのうち投影領域ＰＡ１の右側の領域に配置する。
【００５９】
ステップＳ５４において、画像生成部９５は、補足資料ファイルＳＦに基づいて補足資料画像ＴＧを生成する。ここでは、画像生成部９５は、２つの補足資料ファイルＳＦ１，ＳＦ２に基づいて２つの補足資料画像ＴＧ１（図１１参照），ＴＧ２（図１２参照）を生成する。
【００６０】
ステップＳ５５において、画像生成部９５は、解像度変換によって、補足資料画像ＴＧの画像サイズを補足資料表示領域ＴＡに収まる画像サイズに調整する。具体的には、画像生成部９５は、解像度変換によって、補足資料画像ＴＧ１の画像サイズを補足資料表示領域ＴＡ１に収まる画像サイズに調整するとともに、補足資料画像ＴＧ２の画像サイズを補足資料表示領域ＴＡ２に収まる画像サイズに調整する。
【００６１】
ステップＳ５６において、画像生成部９５は、投影領域ＰＡ２に投影される投影画像ＳＧを生成する。ここでは、画像生成部９５は、図１３に示すように、補足資料画像ＴＧ１および補足資料画像ＴＧ２に基づいて、投影装置２０ｂによって投影領域ＰＡ２全体に投影される投影画像ＳＧを生成する。具体的には、ステップＳ５３で決定された補足資料表示領域ＴＡ１にステップＳ５５でサイズ調整された補足資料画像ＴＧ１が配置され、且つ、ステップＳ５３で決定された補足資料表示領域ＴＡ２にステップＳ５５でサイズ調整された補足資料画像ＴＧ２が配置されることによって、投影画像ＳＧが生成される。また、ここでは、投影画像ＳＧのうち補足資料画像ＴＧ１と補足資料画像ＴＧ２とを除く部分は白画像で構成されるものとする。
【００６２】
ステップＳ５７においては、画像生成部９５は、発表資料ファイルＭＦに含まれる文字列ＳＴと補足資料画像ＴＧとの関係を明示する吹き出し画像ＢＧを生成する。具体的には、画像生成部９５は、図１４に示すように、文字列ＳＴ１（例えば「ＡＳＩＣ」）と補足資料画像ＴＧ１との関係を明示する吹き出し画像ＢＧ１を生成するとともに、文字列ＳＴ２（例えば「ＦＰＧＡ」）と補足資料画像ＴＧ２との関係を明示する吹き出し画像ＢＧ２を生成する。
【００６３】
ステップＳ５８においては、画像生成部９５は、吹き出し画像ＢＧを２つの投影画像ＭＧ，ＳＧにそれぞれ合成する。
【００６４】
具体的には、画像生成部９５は、図１５に示すように、吹き出し画像ＢＧの部分画像ＢＧ１１，ＢＧ２１を投影画像ＭＧに合成する。部分画像ＢＧ１１は、吹き出し画像ＢＧ１（図１４参照）のうち投影領域ＰＡ１に投影される部分の画像であり、部分画像ＢＧ２１は、吹き出し画像ＢＧ２のうち投影領域ＰＡ１に投影される部分の画像である。
【００６５】
また、画像生成部９５は、図１６に示すように、吹き出し画像ＢＧの部分画像ＢＧ１２，ＢＧ２２を投影画像ＳＧに合成する。部分画像ＢＧ１２は、吹き出し画像ＢＧ１（図１４参照）のうち補足資料配置領域ＳＡに投影される部分の画像であり、部分画像ＢＧ２２は、吹き出し画像ＢＧ２のうち補足資料配置領域ＳＡに投影される部分の画像である。
【００６６】
図３のステップＳ１２における投影画像生成処理が完了すると、ステップＳ１３に進む。
【００６７】
ステップＳ１３において、投影制御部９７は、投影装置２０ａによる投影処理を開始する。当該投影処理においては、投影制御部９７は、図１７に示すように、投影装置２０ａを用いて投影画像ＭＧ（図１５）ひいては発表資料画像ＬＧを投影領域ＰＡ１に投影させる。
【００６８】
ステップＳ１４において、投影制御部９７は、投影装置２０ｂによる投影処理をも開始する。当該投影処理においては、投影制御部９７は、図１７に示すように、投影装置２０ｂを用いて投影画像ＳＧ（図１６）ひいては補足資料画像ＴＧ１，ＴＧ２を投影領域ＰＡ２に投影させる。ステップＳ１４での投影開始後においては、２つの投影装置２０ａ，２０ｂによる投影動作が同時並列的に行われている。
【００６９】
ステップＳ１５においては、プロジェクタモードが終了されたか否かが判定される。当該プロジェクタモードが終了されたと判定されると、ＭＦＰ１０は処理を終了する。
【００７０】
なお、ここでは、説明を簡略化するため、１ページで構成される発表資料ファイルＭＦにおいて、当該１ページに対応する発表資料画像ＬＧと補足資料画像ＴＧとが投影される場合を例示しているが、これに限定されない。たとえば、複数のページで構成される発表資料ファイルＭＦにおいて、それぞれのページに対応する発表資料画像ＬＧと補足資料画像ＴＧとが順次に投影されるようにしてもよい。その場合には、当該複数のページのそれぞれに対して、図３のステップＳ１２〜ステップＳ１４の処理が順次に実行されるようにすればよい。
【００７１】
以上の動作によれば、ステップＳ１４での投影開始後においては、投影領域ＰＡ１に発表資料画像ＬＧが投影され、補足資料配置領域ＳＡ（投影領域ＰＡ２のうち投影領域ＰＡ１に重複しない領域）に補足資料画像ＴＧ（ＴＧ１，ＴＧ２）が投影される。換言すれば、投影領域ＰＡ１の外部に補足資料配置領域ＳＡが設けられている。そのため、発表資料画像ＬＧと発表資料画像ＭＧとが重複することなく、発表資料画像ＬＧと発表資料画像ＭＧとが投影され得る。したがって、発表資料の視認性の低下を抑制することが可能である。
【００７２】
なお、発表資料画像ＬＧと発表資料画像ＭＧとを重複させることなく発表資料画像ＬＧと発表資料画像ＭＧとを投影する技術としては、投影装置の投影領域のうちの一の領域に発表資料を投影するとともに、当該投影領域のうちの他の投影領域に補足資料を投影する手法も想起される。当該手法は、１つの投影装置による投影領域を２つの部分領域に分割し、一方の部分領域に発表資料を投影し、他方の投影領域に補足資料を投影するものである。これによれば、当該発表資料と当該補足資料との両者を重ねて合成することなく、投影面（スクリーン等）に当該両者を個別に投影することが可能である。
【００７３】
しかしながら、このような技術においては、元の投影領域を分割した２つの部分領域の一方に発表資料が表示されるため、当該部分領域に投影される発表資料の投影画像の投影サイズは、元の投影領域の全体に単独で投影される発表資料の投影画像の投影サイズよりも小さくなる。すなわち、投影サイズが縮小されてしまうという問題が存在する。
【００７４】
また、このような問題に対して、元の投影領域自体を全体的に拡大することによって、発表資料に係る画像の投影サイズの低下を回避ないし抑制する改良技術も想起される。しかしながら、元の投影領域を拡大すると、今度は、当該投影領域の輝度が低下する、という問題が発生する。
【００７５】
一方、この実施形態においては、上述したように、補足資料画像ＴＧが補足資料配置領域ＳＡ（投影領域ＰＡ２のうち投影領域ＰＡ１に重複しない領域）、換言すれば、投影領域ＰＡ１の外部領域、に投影される。そのため、投影画像ＭＧの投影サイズは縮小されることを要さず、且つ、投影領域の輝度の低下も回避され得る。
【００７６】
＜２．第２実施形態＞
上記第１実施形態においては、図１７に示すように、投影装置２０ｂによる投影領域ＰＡ２は、投影装置２０ａによる投影領域ＰＡ１を包含している。投影領域ＰＡ１には、投影装置２０ａによる投影画像ＭＧが投影されるとともに、投影装置２０ｂによる投影画像ＳＧ（詳細には、当該投影画像ＳＧのうち、補足資料配置領域ＳＡに投影される画像を除く部分）も投影される。このように、投影装置２０ａによる投影領域ＰＡ１と投影装置２０ｂによる投影領域ＰＡ２との間に重複領域が存在し、２つの投影装置２０ａ，２０ｂによる投影対象領域は、投影領域ＰＡ１において重複している
また、上記第１実施形態においては、ステップＳ５６（図５）で説明したように、投影画像ＳＧのうち補足資料画像ＴＧ１と補足資料画像ＴＧ２とを除く部分は白画像で構成される。したがって、投影領域ＰＡ１においては、投影装置２０ａによる投影画像ＭＧと投影装置２０ｂによる白画像とが重複して投影される。
【００７７】
そのため、投影領域ＰＡ１における投影輝度が高くなり過ぎ、当該投影領域ＰＡ１に投影される投影画像ＭＧの視認性が低下することがある。より詳細には、投影領域ＰＡ１において、投影装置２０ｂによる高輝度投影画像が投影装置２０ａによる投影画像に重畳されることによって、投影装置２０ａによる投影画像のコントラストが低下し、当該投影画像の視認性が低下することがある。
【００７８】
そこで、この第２実施形態では、投影領域ＰＡ１において投影画像ＭＧと投影画像ＳＧとが重複して投影される場合においても、投影領域ＰＡ１における投影輝度の上昇を抑制して視認性の低下を抑制することが可能な技術を例示する。
【００７９】
第２実施形態は、第１実施形態の変形例である。以下では、第１実施形態との相違点を中心に説明する。
【００８０】
この第２実施形態では、図１８に示すように、投影画像ＳＧのうち補足資料配置領域ＳＡに投影される画像を除く部分が、「黒画像」で構成される。なお、「黒画像」は、例えば全画素が黒色画素（換言すれば、低輝度画素）で構成される黒色の画像である。
【００８１】
より具体的には、画像生成部９５は、図５のステップＳ５６において、投影画像ＳＧを生成する際に、当該投影画像ＳＧのうち補足資料配置領域ＳＡに投影される画像除く部分を黒画像（低輝度画像ないし投影輝度抑制画像とも称される）として生成する。より詳細には、投影画像ＳＧにおいては、投影装置２０ｂによる全投影領域のうち、中央の投影領域ＰＡ１に相当する矩形領域に、矩形状の黒画像が配置される。
【００８２】
そして、投影制御部９７は、第１実施形態と同様に、投影装置２０ａを用いて投影画像ＭＧを投影領域ＰＡ１に投影する（図３のステップＳ１３）とともに、投影装置２０ｂを用いて投影画像ＳＧを投影領域ＰＡ２に投影する（図３のステップＳ１４）。ステップＳ１４以後においては、投影領域ＰＡ１には、投影画像ＭＧと投影画像ＳＧとが重複して投影される。ここにおいて、上述のように、投影装置２０ｂによる投影画像ＳＧのうち、中央の投影領域ＰＡ１に相当する矩形領域には、矩形状の黒画像が配置されている。その結果、投影領域ＰＡ２のうち投影領域ＰＡ１との重複領域に対する投影装置２０ｂによる投影輝度は、投影領域ＰＡ２のうち重複領域以外の領域ＳＡに対する投影装置２０ｂによる投影輝度に比べて抑制される。
【００８３】
以上の動作によれば、投影領域ＰＡ２のうち投影領域ＰＡ１との重複領域に関しては、投影領域ＰＡ２のうち当該重複領域以外の領域に比べて、投影装置２０ｂによる投影輝度が抑制される。そのため、当該重複領域に投影される投影画像ＭＧの投影輝度が高くなり過ぎることを抑制し、当該投影画像ＭＧの視認性の低下を抑制することも可能である。
【００８４】
＜３．変形例等＞
以上、この発明の実施の形態について説明したが、この発明は上記説明した内容のものに限定されるものではない。
【００８５】
たとえば、上記各実施形態においては、投影領域ＰＡ２と投影領域ＰＡ１との重複領域が存在する場合を例示したが、これに限定されず、当該重複領域が存在しないように投影領域ＰＡ２と投影領域ＰＡ１とが配置されるようにしてもよい。
【００８６】
具体的には、図１９に示すように、投影領域ＰＡ１に隣接する領域に投影領域ＰＡ２を配置するようにしてもよい。図１９においては、投影領域ＰＡ２が投影領域ＰＡ１の右側の隣接領域に配置されている。また、この場合には、領域決定部９３は、投影領域ＰＡ２自体を補足資料配置領域ＳＡとして決定するようにすればよい。
【００８７】
また、上記各実施形態では、ステップＳ３１，Ｓ３３において、白色の高輝度画像である「白画像」が領域認識用画像ＵＧ１，ＵＧ２として用いられる場合を例示したが、これに限定されない。たとえば、白色以外の色（緑色等）を有する高輝度画像が領域認識用画像ＵＧ１，ＵＧ２として用いられるようにしてもよい。また、各領域認識用画像ＵＧ１，ＵＧ２は、その全ての画素が同じ色で構成されることを要さない。さらには、各領域認識用画像ＵＧ１，ＵＧ２の境界線部分のみが所定色の高輝度画素で構成され、当該境界線の内側部分は低輝度画素で構成されるようにしてもよい。このような態様によっても、各領域認識用画像ＵＧ１，ＵＧ２（詳細にはその撮影画像）に関するエッジ検出処理によって、各投影領域ＰＡ１，ＰＡ２の位置および大きさを決定することが可能である。
【００８８】
また、上記第２実施形態では、ステップＳ５６において黒色の低輝度画像である「黒画像」を「投影輝度抑制画像」として用いる場合を例示したが、これに限定されない。例えば、黒色以外の色（濃い茶色等）を有する低輝度画像を「投影輝度抑制画像」として用いるようにしてもよい。
【００８９】
また、上記各実施形態においては、図５のステップＳ５２において、補足資料検索部９４は、ボックスＢＸ２内の複数の補足資料ファイルＳＦ（例えば補足資料ファイルＳＦ１，ＳＦ２，・・・）のうちそのファイル名に発表資料内の文字列ＳＴ（例えば文字列ＳＴ１，ＳＴ２）を含むものを検索して特定する場合を例示したが、これに限定されない。
【００９０】
たとえば、補足資料検索部９４は、発表資料内の文字列ＳＴ（例えば文字列ＳＴ１，ＳＴ２）に基づいて、ＭＦＰ１０の内部あるいは外部の所定のデータベースＤＱを検索して得られる検索結果（文書情報あるいは画像情報等）を特定するようにしてもよい。この場合、画像生成部９５は、図５のステップＳ５４において、データベースＤＱを検索して得られた検索結果に基づいて、補足資料画像を生成するようにすればよい。
【符号の説明】
【００９１】
１０  投影制御装置
２０ａ，２０ｂ  投影装置
４０  撮影装置
１００  投影制御システム
ＳＣ  スクリーン
ＰＡ１，ＰＡ２  投影領域
ＰＧ１，ＰＧ２  撮影画像
ＵＧ１，ＵＧ２  領域算出用画像
ＬＧ  発表資料画像
ＴＧ１，ＴＧ２  補足資料画像
ＴＡ１，ＴＡ２  補足資料表示領域
ＭＧ，ＳＧ  投影画像
ＢＧ１，ＢＧ２  吹き出し画像
【図１】
2012022162.tif 000003
【図２】
2012022162.tif 000004
【図３】
2012022162.tif 000005
【図４】
2012022162.tif 000006
【図５】
2012022162.tif 000007
【図６】
2012022162.tif 000008
【図７】
2012022162.tif 000009
【図８】
2012022162.tif 000010
【図９】
2012022162.tif 000011
【図１０】
2012022162.tif 000012
【図１１】
2012022162.tif 000013
【図１２】
2012022162.tif 000014
【図１３】
2012022162.tif 000015
【図１４】
2012022162.tif 000016
【図１５】
2012022162.tif 000017
【図１６】
2012022162.tif 000018
【図１７】
2012022162.tif 000019
【図１８】
2012022162.tif 000020
【図１９】
2012022162.tif 000021